(57)【要約】   【課題】  発電機を持続的に駆動して安定して発動可能なエネルギー変換機構を提供する。  【解決手段】  テーブルのベースに平行式トーションホイール装置（以下、「装置」）が設置され、該装置の二つの回転盤の中心に垂直に貫設された第一伝達軸は固定され、上下二つのピニオンギヤが設置され、複数の軸心が設置され、上層と下層の複数のブルギヤと重りに結合される。ブルギヤに対応した位置にリング状レールと転がり軸受が設置され、上記装置が転動すると上記複数のブルギヤが、第一伝達軸のピニオンギヤと噛み合い、上記上方の回転盤は伝動ブルギヤと伝動ピニオンギヤ及び流体継手によって小型モーターに結合され、上記下方の回転盤は二つの方向転換ギヤと二つの傘歯車及びもう一つの水平に配置される第二伝達軸によって発電機に結合される。【選択図】図７
2016100914.tif 000002
【特許請求の範囲】
【請求項１】
テーブルにベースが設けられ、上記ベースの中空状態の内部に第一平行式トーションホイール装置が設置され、上記第一平行式トーションホイール装置が、上下二つの回転盤と上記上下二つの回転盤の間に均等に配置された複数のブルギヤと上記複数のブルギヤの一側に設置された重りを有するエネルギー変換機構であって、
上記上下二つの回転盤の中心に、二つの軸孔が形成され、上記二つの軸孔に、垂直的に配置される第一伝達軸が貫設され、上記第一伝達軸において、上下二つの回転盤の間に、上記複数のブルギヤに噛み合って伝動するためのピニオンギヤが設けられて、上記上下二つの回転盤の円周に、上記複数のブルギヤが枢着されるために、複数の均等に配置される貫通孔が形成され、上記上方の回転盤に、伝動ブルギヤが設けられ、上記伝動ブルギヤに噛み合う伝動ピニオンギヤが設けられ、上記伝動ピニオンギヤの上方に、小型モーターが設置され、上記下方の回転盤の底部に回転座がロックされ、上記回転座の下方に、垂直的に配置される第一方向転換ギヤがロックされ、上記第一方向転換ギヤともう一つの水平的に配置される第二方向転換ギヤ及び第二伝達軸によって、発電機が接続され、
上記ブルギヤの中心に、軸孔が形成され、上記軸孔に、軸心が枢着され、上記軸心の上下両端が、上下二つの回転盤の二つの貫通孔から貫設されてロックされ、上記ブルギヤの一側に、二つの貫通孔が形成され、上記二つの貫通孔に二つの結合棒が貫設され、上記二つの結合棒の上下両端に、上下二つの重りがロックされ、
上記小型モーターによって、上記伝動ピニオンギヤと上記伝動ブルギヤが噛み合った後、上記回転盤に伝動し、上記第一平行式トーションホイール装置の複数のブルギヤが、第一伝達軸上のピニオンギヤに囲んで持続的に転動し、上記ブルギヤが転動する時、重りによる奥へ対する重量不均衡のため、遠心力による遠心作用が形成され、上記第一平行式トーションホイール装置に膨大なトーションが生成し、同時に、上記回転座の下方において、垂直的に配置される第一方向転換ギヤともう一つの水平的に配置される第二方向転換ギヤとが噛み合って伝動することにより、持続的に動力を上記第二伝達軸に伝達して、持続的に発電機を転動させて発電させることを特徴とするエネルギー変換機構。
【請求項２】
テーブルにベースが設けられ、上記ベースの中空状態の内部に、第二平行式トーションホイール装置が設置され、上記第二平行式トーションホイール装置が、上下二つの回転盤と上下二つの回転盤の間に均等に配置された複数層の複数のブルギヤと複数のブルギヤの外側と内側に設置された重りを有するエネルギー変換機構であって、
上記ブルギヤの頂面と底面に、二つの転がり軸受が設けられ、上記ベース内部において、転がり軸受に対応した箇所に、リング状レールが設置され、上記第二平行式トーションホイール装置が転動する時、転がり軸受によって、リング状レールが転がり、上記上下二つの回転盤の中心に、二つの軸孔が形成され、上記二つの軸孔に、垂直的に配置された第一伝達軸が貫設され、上記第一伝達軸において、上下二つの回転盤の間に、配設された上記複數層の複数のブルギヤに噛み合って伝動するために、複数のピニオンギヤが設置され、上記上下二つの回転盤の円周に、上記複数のブルギヤが枢着されるために、均等に、複数の貫通孔が配置され、上記上方の回転盤に、伝動ブルギヤが設置され、上記伝動ブルギヤに噛み合うように、伝動ピニオンギヤが設置され、上記伝動ピニオンギヤの上方に、小型モーターが設けられ、上記下方の回転盤の底部に、回転座がロックされ、上記回転座の下方に、垂直的に配置された第三方向転換ギヤがロックされ、上記第三方向転換ギヤともう一つの第四方向転換ギヤとが噛み合うことによって伝動し、上記第四方向転換ギヤの下方に、第一傘歯車が設置され、上記第一傘歯車ともう一つの第二傘歯車とが噛み合うことにより伝動し、上記第二傘歯車が、軸継手と第二伝達軸とにより、発電機が接続され、
上記ブルギヤの中心に、軸孔が形成され、上記軸孔に、軸心が枢着され、上記軸心の上下両端が、上下二つの回転盤の二つの貫通孔に貫設されてロックされ、上記ブルギヤの一側に、二つの貫通孔が形成され、上記二つの貫通孔に、二つの結合棒が貫設され、上記二つの結合棒の上下両端に、上下二つの重りがロックされ、
上記小型モーターによって、上記伝動ピニオンギヤが連動されて伝動ブルギヤに噛み合った後、上記回転盤に伝動し、上記第二平行式トーションホイール装置の複数のブルギヤが、第一伝達軸のピニオンギヤを囲んで持続的に転動し、ブルギヤが転動する時、重りによる奥へ対する重量不均衡のため、遠心力による遠心作用が生成され、上記第二平行式トーションホイール装置に、膨大なトーションが生成され、同時に、上記回転座の下方において、第三方向転換ギヤと第四方向転換ギヤとが噛み合って伝動することにより、もう一つの第一傘歯車と第二傘歯車とが噛み合って伝動し、連続的に、動力を上記第二伝達軸へ伝達して、持続的に発電機を転動させて発電することを特徴とするエネルギー変換機構。
【請求項３】
上記小型モーターと伝動ピニオンギヤとの間に、永久磁石カップリング及び流体継手が設けられることを特徴とする請求項１又は２に記載のエネルギー変換機構。
【請求項４】
上記水平的に配置された第二伝達軸に、永久磁石カップリング及び流体継手が設けられることを特徴とする請求項１又は２に記載のエネルギー変換機構。
【請求項５】
上記水平的に配置された第二伝達軸に、エネルギー蓄積はずみ車が設けられることを特徴とする請求項１又は２に記載のエネルギー変換機構。
【請求項６】
上記水平的に配置された第二伝達軸に、加速ギヤボックスが設けられることを特徴とする請求項１又は２に記載のエネルギー変換機構。  
【発明の詳細な説明】
【技術分野】
【０００１】
本発明は、エネルギー変換機構に関するものであり、さらに詳しくは、発電設備に適用されるエネルギー変換機構に関するものであり、特に、小型モーターにより、平行式トーションホイール装置が連動し、比較的大きいトーションが生成され、上記発電機を持続的に転動して発電させる技術を包含するエネルギー変換機構に関するものである。
【背景技術】
【０００２】
化石エネルギーには、枯渇の可能性があり、また、近年、化石燃料の環境に与える被害が、より明白になっている。そのため、例えば、風力や太陽エネルギー、海洋エネルギー、水力、地熱及びバイオマスエネルギー等の代替エネルギーを有効利用する技術を開発することが緊急の課題になっている。
【０００３】
風力や水力発電は、風車や水車により、風や水の運動エネルギーを回転作用に変換して、発電機を駆動するものである。風力発電及び水力発電は、汚染のないクリーンエネルギーであり、安全や環境保護の効果を有するが、既存の技術を利用する発電設備、例えば、小型波力エネルギー発電機や風力発電機は、風や水がない条件下の場合や、風力や水力が頻般に変化する時、発電機へ出力される動力も、それとともに変化し、発電機の発電能力が、安定的に出力されず、その後段に設定されてある回路に障害を与えるという問題が生ずるおそれがある。従って、かかる問題は、早急に解決しなければならない状況にある。
【発明の概要】
【発明が解決しようとする課題】
【０００４】
従って、本発明の課題は、風力及び水力などの自然エネルギーの発生の不安定性による発電設備の発電能力に対する変化を抑制する手段を提供することにある。
【課題を解決するための手段】
【０００５】
従って、本発明者は、上記の本発明の課題を解決するため鋭意検討を重ねた結果、下記の通り、本発明に想到するに至った。
すなわち、本発明によれば、上記の課題を解消するために、テーブルに設けてあるベース上に、平行式トーションホイール装置が設けられ、上記平行式トーションホイール装置の二つの回転盤の中心に、垂直的に配置される第一伝達軸が貫設され、上記第一伝達軸は、二つの回転盤の間に固定されて、上下二つのピニオンギヤが設置され、上記回転盤に、複数の軸心が設けられ、複数の軸心によって、上層と下層の複数のブルギヤと重りが結合され、上記ベースのブルギヤに対応する箇所に、リング状レールと転がり軸受とが設けられ、上記平行式トーションホイール装置が転動する際には、より省力的且つ安定的になり、上記複数のブルギヤと第一伝達軸のピニオンギヤとが噛み合って、上記上方にある回転盤に、伝動ブルギヤと伝動ピニオンギヤとを介して小型モーターが接続され、上記下方にある回転盤に、二つの方向転換ギヤと二つの傘歯車のもう一つの水平的に配置される第二伝達軸を介して発電機が接続され、始めに、小型モーターによって、平行式トーションホイール装置の複数のブルギヤが、第一伝達軸上のピニオンギヤに囲んで転動するように連動され、複数のブルギヤが転動する時、重りによる奥へ対する重量不均衡のため、遠心力による遠心作用が形成され、上記平行式トーションホイール装置に、膨大なトーションを生成し、これにより、持続的な動力により、発電機が持続的に転動されて、発電し、上記平行式トーションホイール装置は、連動するために必要とする馬力が低減され、また、回転数が向上され、回転数が高ければ、遠心力が大きくなり、トーションも高くなり、よりよい効果が向上され、主な目的が実現されるエネルギー変換機構が提供される。
【０００６】
本発明に係るエネルギー変換機構は、上記小型モーターと伝動ピニオンギヤとの間に、永久磁石カップリングや流体継手が設置され、上記水平的に配置される第二伝達軸上にも、永久磁石カップリングや流体継手が設置され、上記永久磁石カップリングは、利用インナーローターとアウターローターとの間にある磁力によって、トーションが伝達され、上記流体継手は、インペラとタービンとの間にある作動液で、トーションを伝達し、同時に、小型モーターが保護されて遠心力のトーションによって引かれることを防止する。
【０００７】
本発明に係るエネルギー変換機構は、水平的に配置される第二伝達軸にエネルギー蓄積はずみ車が設置されることにより、上記エネルギー蓄積はずみ車の慣性を利用して、上記水平的に配置される第二伝達軸が、持続的に転動することができる。
【０００８】
本発明に係るエネルギー変換機構は、水平的に配置される第二伝達軸に、二つの加速ギヤボックスが設置される。
【０００９】
かくして、請求項１に係る発明によれば、テーブルに、ベースが設けられ、上記ベースの中空的である内部に、第一平行式トーションホイール装置が設置され、上記第一平行式トーションホイール装置が、上下二つの回転盤と複数の上下二つの回転盤の間に均等に配置されたブルギヤと複数のブルギヤの一側に設置された重りを有するエネルギー変換機構であって、
上記上下二つの回転盤の中心に、二つの軸孔が形成され、上記二つの軸孔に、垂直的に配置される第一伝達軸が貫設され、上記第一伝達軸において、上下二つの回転盤の間に上記複数のブルギヤに噛み合って伝動するためのピニオンギヤが設けられて、上記上下二つの回転盤の円周に上記複数のブルギヤが枢着されるために、複数の均等的に配置される貫通孔が形成され、上記上方の回転盤に、伝動ブルギヤが設けられ、上記伝動ブルギヤに噛み合う伝動ピニオンギヤが設けられ、上記伝動ピニオンギヤの上方に、小型モーターが設置され、上記下方の回転盤の底部に、回転座がロックされ、上記回転座の下方に、垂直的に配置される第一方向転換ギヤがロックされ、上記第一方向転換ギヤともう一つの水平的に配置される第二方向転換ギヤ及び第二伝達軸によって、発電機が接続され、上記ブルギヤの中心に、軸孔が形成され、上記軸孔に、軸心が枢着され、上記軸心の上下両端が、上下二つの回転盤の二つの貫通孔から貫設されてロックされ、上記ブルギヤの一側に二つの貫通孔が形成され、上記二つの貫通孔に二つの結合棒が貫設され、上記二つの結合棒の上下両端に上下二つの重りがロックされ、上記小型モーターによって、上記伝動ピニオンギヤと上記伝動ブルギヤが噛み合った後、上記回転盤に伝動し、上記第一平行式トーションホイール装置の複数のブルギヤが、第一伝達軸上のピニオンギヤに囲んで、持続的に転動し、上記ブルギヤが転動する時、重りによる奥へ対する重量不均衡のため、遠心力による遠心作用が形成され、上記第一平行式トーションホイール装置に膨大なトーションが生成し、同時に、上記回転座の下方において、垂直的に配置される第一方向転換ギヤともう一つの水平的に配置される第二方向転換ギヤとが噛み合って伝動することにより、持続的に、動力を上記第二伝達軸に伝達して、持続的に発電機を転動させて発電させることを特徴とするエネルギー変換機構が提供される。
【００１０】
請求項２に係る発明によれば、テーブルに、ベースが設けられ、上記ベースの中空的である内部に、第二平行式トーションホイール装置が設置され、上記第二平行式トーションホイール装置が、上下二つの回転盤と複數層の複数の、均等的に上下二つの回転盤の間に配置されたブルギヤと、複数のブルギヤの外側と内側に設置された重りを有するエネルギー変換機構であって、
上記ブルギヤの頂面と底面に、二つの転がり軸受が設けられ、上記ベース内部において、転がり軸受に対応した箇所に、リング状レールが設置され、上記第二平行式トーションホイール装置が転動する時、転がり軸受によって、リング状レールを転がり、上記上下二つの回転盤の中心に、二つの軸孔が形成され、上記二つの軸孔に、垂直的に配置された第一伝達軸が貫設され、上記第一伝達軸において、上下二つの回転盤の間に、上記複數層の複数のブルギヤに噛み合って伝動するために、複数のピニオンギヤが設置され、上記上下二つの回転盤の円周に、上記複数のブルギヤが枢着されるために、均等に、複数の貫通孔が配置され、上記上方の回転盤に、伝動ブルギヤが設置され、上記伝動ブルギヤに噛み合うように、伝動ピニオンギヤが設置され、上記伝動ピニオンギヤの上方に、小型モーターが設けられ、上記下方の回転盤の底部に、回転座がロックされ、上記回転座の下方に、垂直的に配置された第三方向転換ギヤがロックされ、上記第三方向転換ギヤともう一つの第四方向転換ギヤとが噛み合うことによって伝動し、上記第四方向転換ギヤの下方に、第一傘歯車が設置され、上記第一傘歯車ともう一つの第二傘歯車とが噛み合うことにより伝動し、上記第二傘歯車が、軸継手と第二伝達軸とにより、発電機が接続され、上記ブルギヤの中心に、軸孔が形成され、上記軸孔に、軸心が枢着され、上記軸心の上下両端が、上下二つの回転盤の二つの貫通孔に貫設されてロックされ、上記ブルギヤの一側に、二つの貫通孔が形成され、上記二つの貫通孔に、二つの結合棒が貫設され、上記二つの結合棒の上下両端に、上下二つの重りがロックされ、上記小型モーターによって、上記伝動ピニオンギヤが連動されて伝動ブルギヤに噛み合った後、上記回転盤に伝動し、上記第二平行式トーションホイール装置の複数のブルギヤが、第一伝達軸のピニオンギヤを囲んで持続的に転動し、ブルギヤが転動する時、重りによる奥へ対する重量不均衡のため、遠心力による遠心作用が生成され、上記第二平行式トーションホイール装置に、膨大なトーションが生成され、同時に、上記回転座の下方において、第三方向転換ギヤと第四方向転換ギヤとが噛み合って伝動することにより、もう一つの第一傘歯車と第二傘歯車とが噛み合って伝動し、連続的に、動力を上記第二伝達軸へ伝達して、持続的に発電機を転動させて発電することを特徴とするエネルギー変換機構が提供される。
【００１１】
請求項３に係る発明によれば、上記小型モーターと伝動ピニオンギヤとの間に、永久磁石カップリングや流体継手が設けられることを特徴とする請求項１又は２に記載のエネルギー変換機構が提供される。
【００１２】
請求項４に係る発明によれば、上記水平的に配置された第二伝達軸に、永久磁石カップリングや流体継手が設けられることを特徴とする請求項１又は２に記載のエネルギー変換機構が提供される。
【００１３】
請求項５に係る発明によれば、上記水平的に配置された第二伝達軸に、エネルギー蓄積はずみ車が設けられることを特徴とする請求項１又は２に記載のエネルギー変換機構が提供される。
【００１４】
請求項６に係る発明によれば、上記水平的に配置された第二伝達軸に、加速ギヤボックスが設けられることを特徴とする請求項１又は２に記載のエネルギー変換機構が提供される。
【発明の効果】
【００１５】
本発明の第一及び第二は、上記の通りの各構成からなり、後述のように、動力を持続的に第二伝達軸Ｌに伝達して、持続的に発電機を転動させて発電させることができる。
【発明を実施するための最良の形態】
【００１６】
以下、図面を参照しながら、本発明の特徴や技術内容について、詳しく説明するが、それらの図面等は、参考や説明のためのものであり、本発明は、それらによって限定されるものではない。
【００１７】
図面に従い、以下、本発明について、二つの具体的な実施例を挙げて、詳しく説明する。
図１は、本発明に係るエネルギー変換機構の実施例一を示す。
テーブル１に、ベース１０が設置され、上記ベース１０には、上方に、複数のボルトＰとナットＮによって、蓋体１１がロックされる。上記蓋体１１には、中心に、第一軸受台１１１が設置され、第一軸受台１１１の近くに、第二軸受台１１２が設置され、上記第一軸受台１１１と第二軸受台１１２とに、複数のボルトＰによって、第一ブッシング１２と第二ブッシング１３がロックされる。上記第一ブッシング１２には、上方において、ボルトＰとブッシュＱによって、垂直的に配置される第一伝達軸１７がロックされ、上記第一伝達軸１７は固定される。上記第二ブッシング１３の内部に、軸受Ｂが設置され、また、ナットＮによって、伝動ピニオンギヤ１４がロックされる。上記伝動ピニオンギヤ１４の上端に、小型モーターＭが接続される。上記小型モーターＭと、伝動ピニオンギヤ１４との間に、永久磁石カップリング３０が設置される。上記永久磁石カップリング３０は、インナーローター３１とアウターローター３２との間に設けてある磁力により、トーションが伝達され、同時に、小型モーターＭが、保護されて、遠心力によるトーションによって引かれることを防止し、上記伝動ピニオンギヤ１４の側に、伝動ブルギヤ１５が噛み合い、上記ベース１０の内部が、中空状態であるため、第一平行式トーションホイール装置２が設置されて収納される。上記第一平行式トーションホイール装置２は、上下二つの回転盤１６の中心に、二つの軸孔１６１が形成され、上記二つの軸孔１６１に、二つの軸受Ｂが貫設されて、垂直的に配置される第一伝達軸１７が枢着され、同時に、上記伝動ブルギヤ１５は、複数のボルトＰによって、上方にある回転盤１６の頂部にロックされる。上記第一平行式トーションホイール装置２は、伝動ブルギヤ１５とともに、同期に、転動できる。上記垂直的に配置される第一伝達軸１７は、二つの回転盤１６の間に介在し、ボルトＰによって、上記第一平行式トーションホイール装置２の複数のブルギヤ２０に噛み合うようにピニオンギア１８がロックされる。
【００１８】
図２と図３に示すように、上記第一平行式トーションホイール装置２には、複数の均等に配置されたブルギヤ２０が設けられる。上記ブルギヤ２０は、中心に、軸孔２１が形成され、上記軸孔２１は、内部に、軸心２３が枢着されるための二つの軸受Ｂが設置される。上記軸心２３は、上下両端に、雄ねじ２３１が、形成されて、上下二つの回転盤１６の二つの貫通孔１６２に突入し、また、二つのナットＮにより、上下二つの回転盤１６にロックされる。上記ブルギヤ２０は、一側に、二つの貫通孔２２が形成され、上記二つの貫通孔２２に、二つの結合棒２４が貫設される。上記二つの結合棒２４は、上下両端に、雄ねじ２４１が形成され、上下二つの重り２５が貫設される。上記二つの重り２５には、二つの結合棒２４に対応した位置に、同軸心の大孔２５１と小孔２５２が形成され、小孔２５２の内径と結合棒２４の外径とが、ほぼ等しくて、大孔２５１に、結合棒２４の雄ねじ２４１に螺着されるナットＮとパッキングＲが、埋め込まれるように、収納される。上記二つの回転盤１６の円周に、上記第一平行式トーションホイール装置２が枢着されるために、複数の均等に配置される貫通孔１６２が形成され、上記テーブル１は、下方にある回転盤１６に対応する底部に、複数のボルトＰによって、回転座１９がロックされる。上記回転座１９は、下方に、第一方向転換ギヤＧ１がロックされる。上記垂直的に配置される第一方向転換ギヤＧ１は、もう一つの水平的に配置される第二方向転換ギヤＧ２に噛み合って伝動する。上記第二方向転換ギヤＧ２は、軸継手Ｃによって、もう一つの水平的に配置される第二伝達軸Ｌに結合される。上記水平的に配置される第二伝達軸Ｌは、二つの軸受枠Ａとギヤボックス５０により、テーブル１上に設置される。上記二つの軸受枠Ａの間に、エネルギー蓄積はずみ車４０が設置され、上記エネルギー蓄積はずみ車４０の慣性により、上記水平的に配置される第二伝達軸Ｌが、持続的に転動できる。上記水平的に配置される第二伝達軸Ｌ上に、更に、永久磁石カップリング３０が設置され、上記水平的に配置される第二伝達軸Ｌの動力が、ギヤボックス５０によって、必要とする回転数に調整された後、直ちに、発電機６０に接続されて発電させ、上記発電機６０上に、発電作業全体を制御するための制御箱６１が設置される。
【００１９】
上記の要素によって構成される本発明のエネルギー変換機構によれば、図４乃至図６に示すように、最初に、小型モーターＭにより、伝動ピニオンギヤ１４と伝動ブルギヤ１５とが噛み合うように連動された後、回転盤１６へ伝動し、上記第一平行式トーションホイール装置２の複数のブルギヤ２０が、第一伝達軸１７上のピニオンギヤ１８を囲んで持続的に転動でき、ブルギヤ２０が転動する時、重り２５による奥へ対する重量不均衡のため、遠心力による遠心作用が形成され、上記第一平行式トーションホイール装置２に、膨大なトーションが生成する。同時に、上記回転座１９の下方において、垂直的に配置される第一方向転換ギヤＧ１ともう一つの水平的に配置される第二方向転換ギヤＧ２が噛み合って伝動することにより、動力を、持続的に上記第二伝達軸Ｌに伝達して、持続的に発電機６０を転動させて発電させる。
【００２０】
図７に示すように、本発明に係るエネルギー変換機構の実施例二によれば、テーブル１に、ベース１０が設けられ、上記ベース１０は、上方に、複数のボルトＰとナットＮにより、蓋体１１がロックされる。上記蓋体１１は、中心に、第一軸受台１１１が設置され、上記蓋体１１は、第一軸受台１１１の傍に、第二軸受台１１２が設置され、上記第一軸受台１１１と第二軸受台１１２とに、複数のボルトＰによって、第一ブッシング１２と第二ブッシング１３がロックされる。上記第一ブッシング１２は、上方に、ナットＮにより、垂直的に配置される第一伝達軸１７がロックされ、上記第一伝達軸１７が、固定される。上記第二ブッシング１３の内部に、軸受Ｂが設置され、また、ナットＮによって、伝動ピニオンギヤ１４がロックされる。上記伝動ピニオンギヤ１４は、上端に、小型モーターＭが接続され、上記小型モーターＭと、伝動ピニオンギヤ１４との間に、流体継手７０が設置される。上記流体継手７０は、二つのリング状羽根を有する封止機構であり、駆動輪が、インペラ７１と称されて、被駆動輪が、タービン７２と称され、インペラ７１とタービン７２とも、ワークホイールと称され、ワークホイールのリング状ケーシングに、径方向に、複数の羽根７３、７４が配列される。インペラ７１とタービン７２とが、組み立てられた後、リング状空間が形成され、その内部に、作動液Ｗが注入され、インペラ７１が、小型モーターＭによって駆動されて回転し、作動液Ｗが連動されて、図８に示すように、比較的複雑な向心力運動を行い、高速流動する作動液Ｗが、コリオリの力による作用によって、タービン７２の羽根７４に衝撃し、運動エネルギーが、タービン７２へ伝達され、図９に示すように、タービン７２とインペラ７１と、同一方向に回転し、作動液Ｗが、タービン７２の羽根７４の縁から、再び、インペラ７１へ流れ戻し、循環回路が形成される。その流動経路は、リング状の螺旋線に類似し、インペラ７１とタービン７２との間にある作動液Ｗにより、トーションが伝達され、同時に、遠心力によるトーションによって引かれる事を防止するように、小型モーターＭが、保護される。上記伝動ピニオンギヤ１４の傍に、伝動ブルギヤ１５が噛み合い、上記ベース１０の内部が中空であるため、それに、第二平行式トーションホイール装置２′が収納されることができる。上記第二平行式トーションホイール装置２′は、上下二つの回転盤１６の中心に、二つの軸孔１６１が形成する。上記二つの軸孔１６１に、二つの軸受Ｂが設置されて、垂直的に配置される第一伝達軸１７が枢着され、同時に、上記伝動ブルギヤ１５が、複数のナットＮによって、上方にある回転盤１６の頂部にロックされる。上記第二平行式トーションホイール装置２′は、伝動ブルギヤ１５とともに、同期に転動できる。上記垂直的に配置される第一伝達軸１７は、二つの回転盤１６の間に介在し、ボルトＰによって、上下二つのピニオンギヤ１８にロックされる。これにより、上記第二平行式トーションホイール装置２′の上層にある複数のブルギヤ２０と下層にある複数のブルギヤ２０とが、噛み合う。
【００２１】
図１０乃至図１３に示すように、上記第二平行式トーションホイール装置２′は、上下両層に、複数の均等に配置されるブルギヤ２０が設置される。上記ブルギヤ２０の頂面と底面に、二つの転がり軸受Ｂ１が設置される。上記ベース１０は、内部において、転がり軸受Ｂ１に対応した位置に、リング状レール１０１が設けられる。上記第二平行式トーションホイール装置２′は、転動する時、転がり軸受Ｂ１を利用して、リング状レール１０１を転がり、より省力的になり、同時に、回転数の安定性が維持され、更に、応力が解消される。上記ブルギヤ２０のレールは、上記ブルギヤ２０の中心に、軸孔２１が形成され、上記軸孔２１は、内部に、軸心２３を枢着するための二つの軸受Ｂが設置され、上記軸心２３の上下両端に、雄ねじ２３１が形成され、上下二つの回転盤１６の二つの貫通孔１６２に突入し、また、二つのナットＮによって、上下二つの回転盤１６にロックされる。上記上層のブルギヤ２０は、外側にと、下層のブルギヤ２０の内側に、二つの貫通孔２２が形成される。上記二つの貫通孔２２に、二つの結合棒２４が貫設され、上記二つの結合棒２４の上下両端に、雄ねじ２４１が形成され、上下二つの重り２５が貫設される。上記上層の重り２５と下層の重り２５とが、逆方向に配置されて、上記第二平行式トーションホイール装置２′は、転動する時、安定的に維持できる。上記二つの重り２５は、二つの結合棒２４に対応した位置に、同軸心の大孔２５１と小孔２５２が形成され、小孔２５２の内径と結合棒２４の外径とが、ほぼ等しくて、大孔２５１に、結合棒２４の雄ねじ２４１に螺着されるナットＮが、埋め込まれるように、収納される。上記二つの回転盤１６の円周に、上記第二平行式トーションホイール装置２′が枢着されるために、複数の均等的に配置される貫通孔１６２が形成される。上記テーブル１は、下方にある回転盤１６に対応する底部に、複数のボルトＰによって、回転座１９がロックされる。上記回転座１９は、下方に、第三方向転換ギヤＧ３がロックされ、上記垂直的に配置される第三方向転換ギヤＧ３は、もう一つの水平的に配置される第四方向転換ギヤＧ４に噛み合って伝動し、上記第四方向転換ギヤＧ４は、下方に、第一傘歯車Ｇ５が設置される。上記垂直的に配置される第一傘歯車Ｇ５は、もう一つの水平的に配置される第二傘歯車Ｇ６に噛み合って伝動し、更に、上記第二傘歯車Ｇ６は、加速ギヤボックス５０′と軸継手Ｃを介して、もう一つの水平的に配置される第二伝達軸Ｌに結合される。上記水平的に配置される第二伝達軸Ｌは、エネルギー蓄積はずみ車４０が設置され、上記エネルギー蓄積はずみ車４０による慣性によって、上記水平的に配置される第二伝達軸Ｌが、持続的に転動し、上記水平的に配置される第二伝達軸Ｌは、更に、永久磁石カップリング３０ともう一つの加速ギヤボックス５０′が設置される。上記永久磁石カップリング３０は、図１４と図１５のようにインナーローター３１とアウターローター３２との間にある磁力によって、トーションが伝達される。上記水平的に配置される第二伝達軸Ｌの動力は、加速ギヤボックス５０′によって、必要とする回転数に調整された後、直ちに、発電機６０に接続されて発電させ、上記発電機６０は、制御箱６１やインバータ６２、電力制御システム６３及び複数の電池６４を有して、発電作業全体を制御する。
【００２２】
本発明によれば、上記の各要素によって組み立てられた新規のエネルギー変換機構を提供できる。
【００２３】
図１６乃至図１８に示すように、始めに、小型モーターＭによって、伝動ピニオンギヤ１４と伝動ブルギヤ１５とが連動されて噛み合った後、伝動回転盤１６により、上記第二平行式トーションホイール装置２′の複数のブルギヤ２０が、第一伝達軸１７のピニオンギヤ１８に囲んで持続的に転動する。ブルギヤ２０が転動する時、重り２５による奥へ対する重量不均衡のため、遠心力による遠心作用が形成され、上記第二平行式トーションホイール装置２′に、膨大なトーションが生成され、同時に、上記回転座１９の下方において、垂直的に配置される第三方向転換ギヤＧ３と第四方向転換ギヤＧ４とが噛み合って伝動し、また、上記第四方向転換ギヤＧ４の下方にある第一傘歯車Ｇ５と、もう一つの水平的に配置される第二傘歯車Ｇ６とが噛み合って伝動し、これにより、持続的に、動力を上記第二伝達軸Ｌへ伝達し、持続的に発電機６０を転動させて発電させることができる。
【００２４】
以上は、本発明の好適な実施例であり、本発明は、それらによって限定されるものではなく、本発明に係わる特許請求の範囲や明細書の内容に基づいて行った等価の変更や修正は、全てが、本発明の範囲内に含まれる。
【図面の簡単な説明】
【００２５】
【図１】本発明の実施例一に係るエネルギー変換機構の平面組み立て図である。
【図２】本発明の実施例一に係るエネルギー変換機構の第一平行式トーションホイール装置の分解斜視図である。
【図３】本発明の実施例一に係るエネルギー変換機構のブルギヤと垂直伝達軸及び重りの分解斜視図である。
【図４】本発明の実施例一に係るエネルギー変換機構の断面組み立て図である。
【図５】図４の転動時の重りの外方へ対する不均衡による遠心作用を示すＢ−Ｂ断面図である。
【図６】本発明の実施例一の重りの外方へ対する不均衡による遠心作用を示す作動図である。
【図７】本発明の実施例二に係るエネルギー変換機構の平面組み立て図である。
【図８】本発明の実施例二に係るエネルギー変換機構のモーター伝動流体継手のインペラ作動図である。
【図９】本発明の実施例二に係るエネルギー変換機構の流体継手のタービン伝動ピニオンギヤ作動図である。
【図１０】本発明の実施例二に係るエネルギー変換機構のベースと平行式トーションホイール装置の立体組み立て図である。
【図１１】本発明の実施例二に係るエネルギー変換機構のベースと平行式トーションホイール装置の立体分解図である。
【図１２】本発明の実施例二に係るエネルギー変換機構の第二平行式トーションホイール装置の立体分解図である。
【図１３】本発明の実施例二に係るエネルギー変換機構のブルギヤと垂直伝達軸及び重りの立体分解図である。
【図１４】本発明の実施例二に係るエネルギー変換機構の磁力カップリング伝動のアウターローター作動図である。
【図１５】本発明の実施例二に係るエネルギー変換機構の磁力カップリング伝動のインナーローター作動図である。
【図１６】本発明の実施例二に係るエネルギー変換機構の断面組み立て図である。
【図１７】図１６の転動時の重りの外方へ対する不均衡による遠心作用を示すＥ−Ｅ断面図である。
【図１８】図１６の転動時の重りの外方へ対する不均衡による遠心作用を示すＪ−Ｊ断面作動図である。
【符号の説明】
【００２６】
１  テーブル
１０  ベース
１０１  リング状レール
１１  蓋体
１１１  第一軸受台
１１２  第二軸受台
１２  第一ブッシング
１３  第二ブッシング
１４  伝動ピニオンギヤ
１５  伝動ブルギヤ
１６  回転盤
１６１  軸孔
１６２  貫通孔
１７  第一伝達軸
１８  ピニオンギヤ
１９  回転座
２  第一平行式トーションホイール装置
２′  第二平行式トーションホイール装置
２０  ブルギヤ
２１  軸孔
２２  貫通孔
２３  軸心
２３１  雄ねじ
２４  結合棒
２４１  雄ねじ
２５  重り
２５１  大孔
２５２  小孔
３０  永久磁石カップリング
３１  インナーローター
３２  アウターローター
４０  エネルギー蓄積はずみ車
５０  ギヤボックス
５０′  加速ギヤボックス
６０  発電機
６１  制御箱
６２  インバータ
６３  電力制御システム
６４  電池
７０  流体継手
７１  インペラ
７２  タービン
７３  インペラ羽根
７４  タービン羽根
Ｂ  軸受
Ｂ１  転がり軸受
Ｐ  ボルト
Ｑ  ブッシュ
Ｒ  パッキング
Ｎ  ナット  
Ｇ１  第一方向転換ギヤ
Ｇ２  第二方向転換ギヤ
Ｇ３  第三方向転換ギヤ
Ｇ４  第四方向転換ギヤ
Ｇ５  第一傘歯車
Ｇ６  第二傘歯車
Ｃ  軸継手
Ｌ  第二伝達軸
Ａ  軸受枠
Ｍ  小型モーター
Ｗ  作動液
【図１】
2016100914.tif 000003
【図２】
2016100914.tif 000004
【図３】
2016100914.tif 000005
【図４】
2016100914.tif 000006
【図５】
2016100914.tif 000007
【図６】
2016100914.tif 000008
【図７】
2016100914.tif 000009
【図８】
2016100914.tif 000010
【図９】
2016100914.tif 000011
【図１０】
2016100914.tif 000012
【図１１】
2016100914.tif 000013
【図１２】
2016100914.tif 000014
【図１３】
2016100914.tif 000015
【図１４】
2016100914.tif 000016
【図１５】
2016100914.tif 000017
【図１６】
2016100914.tif 000018
【図１７】
2016100914.tif 000019
【図１８】
2016100914.tif 000020